(57)【要約】【課題】  光を反射しにくいスキマーを検出する。【解決手段】  本発明の情報処理装置は、検出用の光を発光する発光手段と、認証用媒体の挿入口の近傍における光の反射光を検出する受光手段と、認証用媒体の挿入口への挿入又は排出における反射光の検出を基に、挿入口に光を反射しない装置があるか否かを判定する制御手段とを含む。【選択図】  図１
2015156113.tif 000002
【特許請求の範囲】
【請求項１】
検出用の光を発光する発光手段と、
認証用媒体の挿入口の近傍における前記光の反射光を検出する受光手段と、
前記認証用媒体の前記挿入口への挿入又は排出における前記反射光の検出を基に、前記挿入口に前記光を反射しない装置があるか否かを判定する制御手段と
を含む情報処理装置。
【請求項２】
前記制御手段は、
前記反射光の検出状態を保持する情報を含み、
前記検出状態を保持する情報を基に、前記反射光の検出を判定する
請求項１に記載の情報処理装置。
【請求項３】
前記挿入口が、現金自動預け払い機の認証用媒体の挿入口である
請求項１又は請求項２に記載の情報処理装置。
【請求項４】
前記制御手段が、
前記挿入口への認証用媒体の挿入又は前記挿入口からの認証用媒体の排出に基づいて、前記発光手段と前記受光手段との動作を開始及び停止を制御する
請求項１ないし３のいずれか１項に記載の情報処理装置。
【請求項５】
前記制御手段が、
前記認証用媒体の挿入前、挿入完了後、排出前、又は、取り外し後の前記反射光の検出を基に、前記挿入口の近傍の装置を検出する
請求項１ないし４のいずれか１項に記載の情報処理装置。
【請求項６】
物体を検出する情報処理装置において、
検出用の光を発光し、
認証用媒体の挿入口の近傍における前記光の反射光を検出し、
前記認証用媒体の前記挿入口への挿入又は排出における前記反射光の検出を基に、前記挿入口に前記光を反射しない装置があるか否かを判定する
物体検出方法。
【請求項７】
物体を検出する情報処理装置において
検出用の光を発光する処理と、
認証用媒体の挿入口の近傍における前記光の反射光を検出する処理と、
前記認証用媒体の前記挿入口への挿入又は排出における前記反射光の検出を基に、前記挿入口に前記光を反射しない装置があるか否かを判定する処理とを
コンピュータに実行させるプログラム。
【発明の詳細な説明】
【技術分野】
【０００１】
本発明は、物体の検出に関し、特に、反射光を用いた物体の検出に関する。
【背景技術】
【０００２】
金融機関の顧客は、現金自動預け払い機（ＡＴＭ：Automated Teller Machine）を操作して、現金を出納する。顧客は、ＡＴＭの操作において、顧客に関する情報を保持し、ＡＴＭで情報を読み取り可能な認証用媒体（例えば、磁気カード、磁気記録できる通帳、及び、ＩＣカード）を用いる。例えば、顧客は、ＡＴＭのカード挿入口に、磁気カードを挿入して、出納操作を実施する。
【０００３】
近年、顧客に関する情報を不正に取得するための装置（スキマー：skimmer）を、ＡＴＭの認証用媒体挿入口（例えば、カード挿入口）に不正に取り付け、顧客の情報を盗む犯罪が発生している。
【０００４】
そこで、カード挿入口の不正な装置を検出する装置を備えたＡＴＭが、用いられている。このような装置には、反射光を用いる装置がある（例えば、特許文献１及び特許文献２を参照）。
【先行技術文献】
【特許文献】
【０００５】
【特許文献１】特開２０１３−２３２０７４号公報
【特許文献２】特開２００７−２６５１８９号公報
【発明の概要】
【発明が解決しようとする課題】
【０００６】
特許文献１及び特許文献２に記載の装置は、反射光を用いてスキマーを検出する。
【０００７】
しかし、スキマーが、光を反射しにくい色（例えば、黒色）の場合、特許文献１及び特許文献２に記載の装置は、スキマーを検出できない。あるいは、スキマーの表面の部材が、光を反射しにくい加工を施されている場合、特許文献１及び特許文献２に記載の装置は、スキマーを検出できない。
【０００８】
このように、特許文献１及び特許文献２に記載の装置は、光を反射しにくい色又は部材を備えた装置の検出が難しいという問題点があった。
【０００９】
本発明の目的は、上記問題点を解決し、光を反射しにくい装置を検出できる情報処理装置、及び、物体検出方法を提供することにある。
【課題を解決するための手段】
【００１０】
本発明の本発明における一形態の情報処理装置は、検出用の光を発光する発光手段と、認証用媒体の挿入口の近傍における前記光の反射光を検出する受光手段と、前記認証用媒体の前記挿入口への挿入又は排出における前記反射光の検出を基に、前記挿入口に前記光を反射しない装置があるか否かを判定する制御手段とを含む。
【００１１】
本発明の本発明における一形態の物体検出方法は、物体を検出する情報処理装置において、検出用の光を発光し、認証用媒体の挿入口の近傍における前記光の反射光を検出し、前記認証用媒体の前記挿入口への挿入又は排出における前記反射光の検出を基に、前記挿入口に前記光を反射しない装置があるか否かを判定する。
【００１２】
本発明の本発明における一形態の物体を検出する情報処理装置のプログラムは、検出用の光を発光する処理と、認証用媒体の挿入口の近傍における前記光の反射光を検出する処理と、前記認証用媒体の前記挿入口への挿入又は排出における前記反射光の検出を基に、前記挿入口に前記光を反射しない装置があるか否かを判定する処理とをコンピュータに実行させる。
【発明の効果】
【００１３】
本発明に基づけば、光を反射しにくい装置を検出できるとの効果を提供できる。
【図面の簡単な説明】
【００１４】
【図１】図１は、本発明における第１の実施形態に係る情報処理装置の構成の一例を示すブロック図である。
【図２】図２は、カード挿入口の近傍におけるセンサ光と反射光の状態を示す図である。
【図３】図３は、スキマーが取り付けられた場合のセンサ光と反射光の状態を示す図である。
【図４】図４は、第１の実施形態に係る情報処理装置の動作の一例を示すフローチャートとである。
【図５】図５は、第１の実施形態に係る情報処理装置の制御部の構成の一例を示すブロック図である。
【発明を実施するための形態】
【００１５】
次に、本発明の実施形態について図面を参照して説明する。
【００１６】
なお、各図面は、本発明の実施形態を説明するものである。そのため、本発明は、各図面の記載に限られるわけではない。また、各図面の同様の構成には、同じ番号を付し、その繰り返しの説明を、省略する場合がある。
【００１７】
また、以下の説明に用いる図面において、本発明の説明に関係しない部分の構成については、記載を省略し、図示しない場合もある。
【００１８】
＜第１の実施形態＞
図面を参照して、本発明のおける第１の実施形態に係る情報処理装置１０について説明する。
【００１９】
本実施形態の情報処理装置１０は、光を反射しにくい装置を検出するための装置である。本実施形態の情報処理装置１０を適用する装置は、特に制限はない。ただし、以下は、一例として、情報処理装置１０は、ＡＴＭの認証用媒体の挿入口に設けられた情報を不正に読み取る装置を検出する装置として説明する。つまり、情報処理装置１０は、ＡＴＭに取り付けられた、又は、内蔵された装置として説明する。
【００２０】
ここで、認証用媒体とは、利用者の認証に用いる情報を記憶した媒体である。例えば、認証用媒体は、磁気カード、ＩＣカード、又は、磁気記録機能を備えた通帳である。以下では、一例として、磁気カード７０を用いて説明する。そのため、挿入口は、ＡＴＭのカード挿入口８０として説明する。
【００２１】
また、不正な読み取り装置は、以下、一例として、スキマー９０とする。
【００２２】
ここで、スキマー９０の外部の色は、後ほど説明するセンサ光３００を反射しにくい色であるとする。スキマー９０の色は、例えば、黒色である。ただし、スキマー９０の外部は、特定の色に限定されず、例えば、反射防止の加工が施されていても良い。
【００２３】
図１は、本発明における第１の実施形態に係る情報処理装置１０の構成の一例を示すブロック図である。
【００２４】
図１に示すように、情報処理装置１０は、制御部２０と、発光部３０と、受光部４０とを含む。
【００２５】
制御部２０は、発光部３０及び受光部４０を制御し、後ほど説明する動作を基に、情報処理装置１０の動作を制御する。また、制御部２０は、情報処理装置１０が組み込まれている図示しないＡＴＭの本体部から動作に必要な情報を受信する。また、制御部２０は、スキマー９０を検出した場合、ＡＴＭの本体部に検出結果を送信する。
【００２６】
発光部３０は、制御部２０に制御された、検出用の光（センサ光３００）を発光する。ここで、本実施形態の発光部３０が発光するセンサ光３００には、波長に特に制限はない。例えば、センサ光３００は、可視光でも良く、赤外線でも良い。ただし、センサ光３００は、ＡＴＭの顧客及び不正者に見えない赤外線が望ましい。また、スキマー９０の形状も一定ではないため、センサ光３００は、ある程度の広がりを備えた光が望ましい。例えば、発光部３０は、赤外線ＬＥＤ（Light Emitting Diode）を用いてセンサ光３００を発光しても良い。さらに、発光部３０は、他の光（例えば、外光）の影響を避けるため、センサ光３００をパルス発光することが望ましい。
【００２７】
また、発光部３０の駆動源は、特に制限はない。発光部３０は、発光用の駆動回路を含んでも良い。この場合、制御部２０は、発光用の駆動回路を制御すれば良い。あるいは、発光部３０は、制御部２０から駆動電力の供給を受けても良い。この場合、制御部２０は、駆動電力を用いて発光部３０を制御すれば良い。
【００２８】
受光部４０は、発光部３０が発光したセンサ光３００の反射光４００を受光する。ただし、受光部４０は、発光部３０が発光したセンサ光３００が、ＡＴＭのカード挿入口８０の近傍の物体で反射した反射光４００を検出できる位置に設けられている。より具体的には、受光部４０は、カード挿入口８０に取り付けられたスキマー９０からの反射光４００を検出する位置に設けられている。さらに、受光部４０は、後ほど説明するように、カード挿入口８０に挿入される磁気カード７０、又は、磁気カード７０を保持する利用者の手に基づく反射光４００を検出する位置に設けられている。
【００２９】
そして、受光部４０は、反射光４００の受光状態（反射光４００の有無）を、制御部２０に送信する。つまり、受光部４０は、反射光４００の有無を検出し、送信する。
【００３０】
ここで、受光部４０が制御部２０に送信する信号には、特に制限はない。例えば、受光部４０は、反射光４００を検出するセンサ（例えば、フォトダイオード）の出力信号を、制御部２０に送信しても良い。この場合、制御部２０は、受け取った信号をＡＤコンバータ（Analog to Digital Converter）又は比較器（comparator）を用いて、デジタル信号に変換しても良い。あるいは、受光部４０は、ＡＤコンバータ又は比較器を含み、反射光４００を検出するセンサの信号をデジタル信号に変換して、制御部２０に送信しても良い。
【００３１】
次に、図２及び図３を参照して、情報処理装置１０の動作の概要について説明する。
【００３２】
図２は、正常な場合のカード挿入口８０の近傍におけるセンサ光３００と反射光４００の状態を示す図である。
【００３３】
通常、カード挿入口８０の近傍には、センサ光３００を反射する物がない。そのため、受光部４０は、センサ光３００を検出できない。
【００３４】
しかし、顧客が磁気カード７０をカード挿入口８０に挿入した場合、図２に示すように、磁気カード７０は、センサ光３００を反射する。そのため、反射光４００は、受光部４０に届く。また、顧客が磁気カード７０を受け取る場合、磁気カード７０は、カード挿入口８０から排出される。排出された磁気カード７０は、センサ光３００を反射する。そのため、受光部４０は、反射光４００を検出できる。
【００３５】
あるいは、磁気カード７０がカード挿入口８０に挿入される場合及び排出される場合、図示しない顧客の手が、カード挿入口８０に近づく。そのため、顧客の手が、センサ光３００を反射する場合もある。この場合も、受光部４０は、反射光４００を検出できる。
【００３６】
このように、受光部４０は、利用者がＡＴＭを利用する場合、磁気カード７０の挿入時及び排出時において、反射光４００を受光できる。
【００３７】
図３は、スキマー９０がカード挿入口８０に取り付けられている場合のセンサ光３００と反射光４００の状態を示す図である。
【００３８】
スキマー９０は、図３に示すように、カード挿入口８０に取り付けられる。そして、スキマー９０がカード挿入口８０に取り付けられた場合、センサ光３００は、スキマー９０に照射される。そのため、センサ光３００は、反射されない。この状態を示すため、図３は、反射光４００を、破線で示した。そして、磁気カード７０は、スキマー９０の内側に挿入されるため、センサ光３００は、磁気カード７０にも反射されない。また、利用者の手も、スキマー９０に設けられた偽の挿入口の近傍となるため、センサ光３００を反射しない。
【００３９】
なお、スキマー９０が本来のカード挿入口８０と異なる位置に偽のカードの挿入口を設けた場合、センサ光３００は、偽のカードの挿入口に届かない。そのため、この場合も、受光部４０は、反射光４００を検出できない。
【００４０】
このように、スキマー９０が取り付けられている場合、受光部４０は、磁気カード７０の挿入及び排出において、反射光４００を受光できない。
【００４１】
その結果、制御部２０は、磁気カード７０の挿入又は排出における受光部４０の受光状態を基に、センサ光３００を反射しないスキマー９０が取り付けられているか否かを判定できる。
【００４２】
次に、図面を参照して、情報処理装置１０の動作について説明する。
【００４３】
図４は、情報処理装置１０の動作の一例を示すフローチャートである。なお、既に説明した通り、制御部２０が、情報処理装置１０の動作を制御するため、以下の説明は、制御部２０の動作を中心に説明する。
【００４４】
制御部２０は、ＡＴＭのカード挿入口８０に磁気カード７０が挿入されたか否かを判定する（ステップＳ１００）。より具体的には、例えば、制御部２０は、ＡＴＭの本体部から、カード挿入口８０に磁気カード７０が挿入されたことの通知を受けたか否かを判定する。なお、ＡＴＭの本体部からの磁気カード７０の挿入の通知は、具体的に磁気カード７０が挿入された場合に限る必要はない。例えば、ＡＴＭの本体部は、磁気カード７０の挿入に繋がる利用者の操作開始を基に、磁気カード７０の挿入を通知しても良い。
【００４５】
磁気カード７０が挿入されていない場合（ステップＳ１００でＮｏ）、制御部２０は、磁気カード７０の挿入の判定を繰り返す。
【００４６】
磁気カード７０が挿入された場合（ステップＳ１００でＹｅｓ）、制御部２０は、スキマー９０の検出動作を開始する。なお、制御部２０は、磁気カード７０の挿入に限らず、ＡＴＭの本体部からの検出開始の指示を基に、以下の動作を開始しても良い。
【００４７】
例えば、保守時における動作確認（ヘルスチェック）のため、制御部２０は、ＡＴＭの本体部からの指示を基に、以下の動作を開始しても良い。
【００４８】
まず、制御部２０は、発光部３０及び受光部４０の動作を開始する（ステップＳ１１０）。なお、ＡＴＭの使用率が高い場合、又は、発光部３０及び受光部４０の制御用の回路を省略したい場合、情報処理装置１０は、ステップＳ１１０及び後ほど説明するステップＳ１６０の動作を省略し、発光部３０及び受光部４０を常に動作させても良い。
【００４９】
次に、制御部２０は、フラグを初期化する（ステップＳ１２０）。ここで、フラグは、受光部４０の受光の有無を記録する情報である。つまり、フラグは、受光部４０の受光状態の情報を保持する。そして、フラグは、後ほど説明するスキマー９０の有無の判定に用いる情報である。そのため、フラグは、「受光判定用フラグ」と言っても良い。つまり、フラグの初期化は、フラグを「受光無」の状態に設定することと同等である。
【００５０】
次に、制御部２０は、受光部４０から信号を基に、受光部４０が反射光４００を受光したか否かを判定する（ステップＳ１３０）。
【００５１】
反射光４００の受光を検出した場合（ステップＳ１３０でＹｅｓ）、制御部２０は、フラグを設定する（ステップＳ１４０）。つまり、制御部２０は、フラグを「受光有」の状態に設定する。
【００５２】
反射光４００の受光を検出しない場合（ステップ１３０でＮｏ）又はステップ１４０の動作後、制御部２０は、磁気カード７０の排出を判定する（ステップＳ１５０）。より具体的には、例えば、制御部２０は、ＡＴＭの本体部から、磁気カード７０の排出の通知を受けたか否かを判定する。
【００５３】
磁気カード７０が排出されていない場合（ステップＳ１５０でＮｏ）、制御部２０は、ステップＳ１３０に戻る。つまり、制御部２０は、磁気カード７０が排出されるまで、受光部４０における反射光４００の受光の検出を繰り返す。
【００５４】
磁気カード７０が排出された場合（ステップＳ１５０のＹｅｓ）、制御部２０は、発光部３０及び受光部４０を停止する（ステップＳ１６０）。既に説明した通り、情報処理装置１０は、ステップＳ１６０を省略しても良い。
【００５５】
次に、制御部２０は、フラグの状態を判定する（ステップＳ１７０）。
【００５６】
フラグが設定されている場合（ステップＳ１７０でＹｅｓ）、つまり受光部４０が反射光４００を検出した場合、制御部２０は、正常（不正物（スキマー９０）がない）と判定する（ステップＳ１８０）。
【００５７】
一方、フラグが設定されていない場合（ステップＳ１７０でＮｏ）、つまり受光部４０が反射光４００を検出しない場合、制御部２０は、異常（スキマー９０がある）と判定する（ステップＳ１９０）。
【００５８】
制御部２０は、ステップＳ１８０及び／又はステップＳ１９０の結果をＡＴＭの本体部に通知しても良い。
【００５９】
このように、本実施形態の情報処理装置１０は、カード挿入口８０への磁気カード７０の挿入から排出における受光部４０の反射光４００の受光状態を基に、カード挿入口８０に取り付けられたスキマー９０を検出できる。つまり、本実施形態の情報処理装置１０は、ＡＴＭのカード挿入口８０への磁気カード７０の挿入から排出までの間の受光部４０の受光状態を基に、カード挿入口８０に、センサ光３００を反射しにくい物体があるか否かを判定できる。
【００６０】
なお、これまでの説明では、磁気カード７０の挿入から排出までの一連の動作をまとめて説明した。しかし、本実施形態の情報処理装置１０は、磁気カード７０の挿入又は排出のどちらかで動作しても良い。この場合、情報処理装置１０は、磁気カード７０の挿入又は排出の検出時に、発光部３０と受光部４０との動作を開始する。そして、情報処理装置１０は、磁気カード７０の挿入又は排出完了時に、発光部３０と受光部４０とを停止する。
【００６１】
また、発光部３０及び受光部４０を常に動作させる場合、制御部２０は、ステップＳ１００のＮｏの後、受光部４０の受光状態を判断しても良い。受光部４０が受光状態の場合、カード挿入口８０の近傍にセンサ光３００を反射する物体が存在することとなる。利用者の使用開始前にカード挿入口８０の近傍に存在する物体は、スキマー９０の可能性がある。そこで、制御部２０は、異常検出をＡＴＭの本体部に通知しても良い。このように、制御部２０は、磁気カード７０の挿入前の受光部４０の受光状態を基に、センサ光３００を反射するスキマー９０を検出できる。
【００６２】
なお、受光部４０が、受光しない場合は、情報処理装置１０は、ステップＳ１００に戻れば良い。
【００６３】
あるいは、挿入時、磁気カード７０は、カード挿入口８０から、ＡＴＭの内部に入る。また、排出時、磁気カード７０は、利用者がカード挿入口８０から取り外す。つまり、スキマー９０がない場合、受光部４０は、反射光４００を検出後、反射光４００を検出しない状態となる。一方、スキマー９０が、センサ光３００を反射する場合、受光部４０は、常に反射光４００を検出する。
【００６４】
そこで、情報処理装置１０は、ＡＴＭの本体部から、磁気カード７０の挿入完了又は排出完了の情報を受け取り、その時における、受光部４０の受光状態を基に、反射光４００を反射するスキマー９０を検出しても良い。
【００６５】
つまり、情報処理装置１０は、磁気カード７０のカード挿入口８０への挿入における挿入前又は挿入完了後の受光部４０の受光状態を基に、スキマー９０を検出しても良い。同様に、情報処理装置１０は、磁気カード７０のカード挿入口８０からの排出における排出前又は取り外し後の受光部４０の受光状態を基に、スキマー９０を検出しても良い。
【００６６】
次に、本実施形態の効果について説明する。
【００６７】
以上説明したとおり、本実施形態は、光を反射しにくい装置（例えば、スキマー９０）を検出するとの効果を得ることができる。
【００６８】
その理由は、次のとおりである。
【００６９】
受光部４０は、スキマー９０が取り付けられる位置の反射光４００、つまり、磁気カード７０が挿入及び排出されるカード挿入口８０の近傍からの反射光４００を検出する。センサ光３００を反射しにくいスキマー９０が取り付けられている場合、受光部４０は、反射光４００を検出できない。一方、スキマー９０がない場合、受光部４０は、磁気カード７０の挿入時又は排出時に、磁気カード７０又は顧客の手で反射された反射光４００を検出できる。
【００７０】
そのため、制御部２０は、受光部４０が反射光４００を受光（検出）したか否かを基に、スキマー９０を検出できるためである。
【００７１】
（変形例）
以上のように説明した情報処理装置１０は、次のように構成される。
【００７２】
例えば、情報処理装置１０の各構成部は、ハードウェア回路で構成されても良い。
【００７３】
また、情報処理装置１０は、各構成部を、ネットワーク又はバスを介して接続した複数の情報処理装置を用いて構成されても良い。例えば、情報処理装置１０は、制御部２０を含むコンピュータと、発光部３０を含む発光装置と、受光部４０を含む検出装置とを、ＬＡＮ（Local Area Network）を介して接続したシステムを用いて構成されても良い。
【００７４】
また、情報処理装置１０は、複数の構成部を１つのハードウェアで構成しても良い。
【００７５】
また、情報処理装置１０の制御部２０は、ＣＰＵ（Central Processing Unit）と、ＲＯＭ（Read Only Memory）と、ＲＡＭ（Random Access Memory）とを含むコンピュータ装置として実現しても良い。制御部２０は、上記構成に加え、さらに、入出力接続回路（ＩＯＣ：Input / Output Circuit）と、発光部３０の駆動回路と、受光部４０の信号の変換回路とを含むコンピュータ装置として実現しても良い。
【００７６】
図５は、変形例に係る制御部６０の構成の一例を示すブロック図である。
【００７７】
制御部６０は、ＣＰＵ６１０と、ＲＯＭ６２０と、ＲＡＭ６３０と、内部記憶装置６４０と、ＩＯＣ６５０と、駆動部６８０と、変換部６９０とを含み、コンピュータを構成している。
【００７８】
ＣＰＵ６１０は、ＲＯＭ６２０からプログラムを読み込む。そして、ＣＰＵ６１０は、読み込んだプログラムに基づいて、ＲＡＭ６３０と、内部記憶装置６４０と、ＩＯＣ６５０と、駆動部６８０と、変換部６９０とを制御する。そして、ＣＰＵ６１０を含むコンピュータは、これらの構成を制御し、図１に示す、制御部２０としての各機能を実現する。
【００７９】
ＣＰＵ６１０は、各機能を実現する際に、ＲＡＭ６３０又は内部記憶装置６４０を、プログラムの一時記憶として使用しても良い。
【００８０】
また、ＣＰＵ６１０は、コンピュータで読み取り可能にプログラムを記憶した記憶媒体７００が含むプログラムを、図示しない記憶媒体読み取り装置を用いて読み込んでも良い。あるいは、ＣＰＵ６１０は、図示しないネットワークを介して、図示しない外部の装置からプログラムを受け取り、ＲＡＭ６３０に保存して、保存したプログラムを基に動作しても良い。
【００８１】
ＲＯＭ６２０は、ＣＰＵ６１０が実行するプログラム及び固定的なデータを記憶する。ＲＯＭ６２０は、例えば、Ｐ−ＲＯＭ（Programable-ROM）又はフラッシュＲＯＭである。
【００８２】
ＲＡＭ６３０は、ＣＰＵ６１０が実行するプログラム及びデータを一時的に記憶する。ＲＡＭ６３０は、例えば、Ｄ−ＲＡＭ（Dynamic-RAM）である。
【００８３】
内部記憶装置６４０は、制御部６０が長期的に保存するデータ及びプログラムを記憶する。また、内部記憶装置６４０は、ＣＰＵ６１０の一時記憶装置として動作しても良い。内部記憶装置６４０は、例えば、ハードディスク装置、光磁気ディスク装置、ＳＳＤ（Solid State Drive）又はディスクアレイ装置である。
【００８４】
ここで、ＲＯＭ６２０と内部記憶装置６４０は、不揮発性の記憶媒体である。一方、ＲＡＭ６３０は、揮発性の記憶媒体である。そして、ＣＰＵ６１０は、ＲＯＭ６２０、内部記憶装置６４０、又は、ＲＡＭ６３０に記憶されているプログラムを基に動作可能である。つまり、ＣＰＵ６１０は、不揮発性記憶媒体又は揮発性記憶媒体を用いて動作可能である。
【００８５】
ＩＯＣ６５０は、ＣＰＵ６１０と、入力機器６６０及び表示機器６７０とのデータを仲介する。ＩＯＣ６５０は、例えば、ＩＯインターフェースカード又はＵＳＢ（Universal Serial Bus）カードである。
【００８６】
入力機器６６０は、制御部６０の操作者からの入力指示を受け取る機器である。入力機器６６０は、例えば、キーボード、マウス又はタッチパネルである。
【００８７】
表示機器６７０は、制御部６０の操作者に情報を表示する機器である。表示機器６７０は、例えば、液晶ディスプレイである。
【００８８】
駆動部６８０は、ＣＰＵ６１０の制御の基、発光部３０を駆動する。
【００８９】
変換部６９０は、受光部４０から受信した信号を、ＣＰＵ６１０が使用できる信号に変換する。
【００９０】
このように構成された制御部６０は、制御部２０と同様の効果を得ることができる。
【００９１】
その理由は、制御部６０のＣＰＵ６１０が、プログラムに基づいて制御部２０と同様の機能を実現できるためである。
【００９２】
以上、実施形態を参照して本願発明を説明したが、本願発明は上記実施形態に限定されるものではない。本願発明の構成及び詳細には、本願発明のスコープ内で当業者が理解し得る様々な変更をすることができる。
【符号の説明】
【００９３】
１０    情報処理装置
２０    制御部
３０    発光部
４０    受光部
６０    制御部
７０    磁気カード
８０    カード挿入口
９０    スキマー
３００    センサ光
４００    反射光
６１０    ＣＰＵ
６２０    ＲＯＭ
６３０    ＲＡＭ
６４０    内部記憶装置
６５０    ＩＯＣ
６６０    入力機器
６７０    表示機器
６８０    駆動部
６９０    変換部
７００    記憶媒体
【図１】
2015156113.tif 000003
【図２】
2015156113.tif 000004
【図３】
2015156113.tif 000005
【図４】
2015156113.tif 000006
【図５】
2015156113.tif 000007